(57)【要約】      （修正有）【課題】マンガ作家が著作を制作した作品に対しマンガ作家の費用負担において、消費者のニーズに応じた出版をすることが困難な場合が多い。この場合、専用のソフトをインストールする事なしに、インターネット上でマンガが読めるサービスを提供する。【解決手段】マンガ作家の持つマンガ原稿をデジタルデータ化したものをコンピューターにて管理して、インターネット上で公開する。読者は、別途専門ソフトのインストールの必要もなく、容易にマンガ作品を閲覧することができる。インターネット上で公開されたマンガ作品に対して、読者によるアンケート投票という形での市場調査を実施し、その投票結果およびマンガ作品に対する感想等のアンケート結果をコンピューターにて管理、集計して、獲得投票数の多いマンガ作品を適切な媒体にて出版・販売させる。読者は、自ら購入を希望する作品を容易に書籍として入手することができる、消費者のニーズに応じた商品開発を実現するシステムとする。【選択図】  図１
2004341772.tif 000002
【特許請求の範囲】
【請求項１】
著作権者の持つマンガの原稿画像をデジタルデータ化したものをインターネット上で公開し、公開された原稿画像に対して消費者である会員による出版希望の投票を集め、その投票数によって書籍として出版・販売するアナログとデジタルを結びつけたコンテンツ販売システム。
【請求項２】
マンガを出版・販売する前に消費者による投票という形での市場調査をインターネット上にて実施し、コンピューターにて管理、集計する、請求項１記載のコンテンツ販売システム。
【発明の詳細な説明】
【０００１】
【発明の属する技術分野】
本発明は、インターネットのブロードバンド環境を利用したコンテンツ販売システムに関する。
【０００２】
【従来の技術】
従来、読者たる消費者がマンガを閲覧・購入しようと考えた場合や、著作権者たるマンガ作家が作品を発表しようとする場合には、出版社から発行される書籍、雑誌、または同人誌等の自費出版物、インターネットのホームページ等で媒介するしかなかった。
【０００３】
また、これまでもインターネット上でマンガが読めるサービスはあったが、それらはすでに出版されている商品となっているマンガを配信するサービスであるものがほとんどで、新たな著作権者の発掘に繋がるものではない。
【０００４】
また、そのサービスを受けるためには、コンテンツ毎の課金が必要となる場合が多く、専用のソフトをインストールする必要が生じる場合もあり、既存の方法によるものでは読者たる消費者の負担が大きい。
【０００５】
【発明が解決しようとする課題】
このように、著作権者たるマンガ作家が優れた著作を制作したとしても、実際に出版されるかどうかは、出版社の一方的主観的な判断に委ねられ、ほとんど出版・販売に至らないのが現状である。
【０００６】
また、著作権者たるマンガ作家が自らの費用負担において、自己の著作物を出版・販売しようとしても、消費者のニーズに応じた作品を出版するのは困難である。
【０００７】
一方読者は、既存の流通システムに則した出版物しか入手できず、インターネット上でマンガが読めるサービスでは、コンテンツ毎の課金が必要となる場合が多く、そのサービスを受けるために専用のソフトをインストールする事が必要な場合もあり、手続きが煩雑で廉価ではなかった。
【０００８】
また、読者が自ら購入を希望するマンガ作家の作品でも、出版社が出版・販売を行わない限り入手することができない。
【０００９】
【課題を解決するための手段】
本発明では、マンガ作品の発表を希望する著作権者の持つマンガ原稿をデジタルデータ化したものをコンピューターにて管理して、インターネット上で公開する。
【００１０】
消費者たる読者は、自己のコンピューターを用いてインターネットに接続することだけで、別途専門ソフトのインストールの必要もなく、容易にマンガ作品を閲覧することができる。
【００１１】
インターネット上で公開されたマンガ作品に対して、消費者たる読者によるアンケート投票という形での市場調査をインターネット上にて実施し、その投票結果およびマンガ作品に対する感想等のアンケート結果をコンピューターにて管理、集計して、獲得投票数の多いマンガ作品を適切な媒体にて出版・販売させる。
【００１２】
読者は、自ら購入を希望する作品を容易に書籍として入手することができる、消費者のニーズに応じた商品開発を実現するシステムとする。
【００１３】
読者は、まんが市場に対して会費を月額２００円から３００円支払うことにより会員として参加出来る。
【００１４】
【発明の実施の形態】
以下、本発明の実施の形態につき説明する。
【００１５】
著作権者の原稿画像はデータ化されて図１の画像データベースＤＢ１内に蓄積され、その画像の種類により管理、分類される。
【００１６】
その画像データは、図１の画像公開ホームページＨＰ１上で掲載期間および投票期間を定めて、公開される。
【００１７】
一方、消費者は図１のクライアントＰＣより会員登録ホームページＨＰ２にアクセスし会員登録の申し込みをすることで、図１の会員管理データベースＤＢ２に登録される。
【００１８】
会員管理データベースＤＢ２に登録された会員は、画像公開ホームページＨＰ１へのアクセスが可能になると同時に、公開された画像へ投票する権利を得る。
【００１９】
登録された会員は、画像公開ホームページＨＰ１にアクセスし画像データを閲覧し、商品化を希望するものに対して投票する。なお、投票は１票を１ポイントと称する。
【００２０】
投票されたポイントは図１の投票管理データベースＤＢ３にて、集計され、商品化するのに妥当なポイント数を、獲得した画像を商品化する。
【００２１】
なお、商品化するのに妥当なポイント数とは、画像データの種類、開発する商品の種類、登録会員数ならびに、掲載期間、投票期間などを考慮して、設定するものとする。
【００２２】
【発明の効果】
本発明により、これまで発表・閲覧の場や媒体が限られていた多種のマンガが身近なブロードバンド環境を利用したインターネット上で発表・閲覧することが可能になる。
【００２３】
同時に、読者は既存の流通システムに乗っていないマンガ作品を閲覧することができ、その中で、自ら購入を希望する作品を容易に書籍として入手することできる。
【００２４】
マンガ作家は出版社の意向に関わらずに自らの自由意思で自作のマンガ作品を比較的安価な費用をもって、インターネットを通じて不特定多数を対象とした全世界へ発表することができる。
【００２５】
マンガ作家にとって、出版・販売に結びつく可能性の高い作品の公開方法を容易に実現できるため、優れたマンガ作家の発掘にも寄与し、読者の投票によるポイントの取得が目に見える形で実現することが励みになり、しかも集計したアンケート結果や感想が得られることで、マンガ作家自身のモチベーションを得る機会ともなる。
【００２６】
この手法によるとマンガ作家と読者のインターネットを介した独自のマッチングが形成されることにより、お互いの嗜好や希望、要望等が作家と読者の間で疎通され、結果的に両者の距離が縮まり、既存の流通システムで重要な地位たる出版社の役割が大幅に縮小される。
【００２７】
よって、双方向の意見交換が進み、より良いマンガ作品の創作が促進される。
【００２８】
さらには、インターネットを利用することによって、インターネット接続環境があれば場所に依存しないため、これまでマンガを自由に読むには不便であった地域の潜在的な需要を掘り起こすことができる。
【図面の簡単な説明】
【図１】本発明の、画像商品開発システムの概要を示す。
【図１】
2004341772.tif 000003